(57)【要約】【課題】防漏カフの起立性が良好で漏れが防止でき、しかもカフの跡が付き難いパンツ型使い捨ておむつを提供すること。【解決手段】本発明の使い捨ておむつ１は、防漏カフ６を備えた吸収性本体２と、幅方向Ｙに伸縮領域を備えた外装体３とを有する。防漏カフ６は、自由端伸縮部６４と固定端部６２との間の不織布６０におけるおむつ幅方向の圧縮荷重値が５ｃＮ以下である。防漏カフ６は、長手方向Ｘの腹側部Ｆ側の端部近傍に表面シート５上に固定された腹側固定部６Ｆと、長手方向Ｘの背側部Ｒ側の端部近傍に表面シート５上に固定された背側固定部６Ｒとを有する。外装体３は、背側固定部６Ｒが位置する背側伸縮領域７Ｒの伸縮応力が腹側固定部６Ｆが位置する腹側伸縮領域７Ｆの伸縮応力よりも高くなっている。【選択図】図２
2020195541.tif 000002
【特許請求の範囲】
【請求項１】
液透過性の表面シート、吸収体及び液難透過性の防漏シートを含む吸収性本体と、該吸収性本体の非肌当接面側に配された外装体とを有し、着用時に、着用者の腹側に配される腹側部、背側に配される背側部及び該腹側部と該背側部の間に位置する股下部を有し、ウエスト開口部及び一対のレッグ開口部を有し、着用者の前後方向に対応する長手方向と該長手方向に直交する幅方向とを有するパンツ型の使い捨ておむつであって、
前記外装体は、前記腹側部及び前記背側部に、前記幅方向に沿って弾性部材が配された幅方向伸縮領域を有しており、
前記吸収性本体は、前記長手方向の両側に該長手方向に沿って延びる防漏カフを備えており、該防漏カフは、前記幅方向の一方の端部に自由端部と他方の端部に固定端部とを有し、該自由端部に該長手方向に沿って防漏カフ弾性部材が固定された自由端伸縮部と、該長手方向の両端近傍に該表面シートに固定された端部固定部とを有しており、
前記自由端伸縮部と前記固定端部の間との不織布における前記幅方向の圧縮荷重値が５ｃＮ以下であり、
前記幅方向伸縮領域は、前記背側部側の前記端部固定部である背側固定部を含み且つ該背側固定部から前記幅方向外方に延在する領域である背側伸縮領域と、前記腹側部側の前記端部固定部である腹側固定部を含み且つ該腹側固定部から前記幅方向外方に延在する領域である腹側伸縮領域とを有しており、
前記背側伸縮領域の伸縮応力が、前記腹側伸縮領域の伸縮応力よりも高い、使い捨ておむつ。
【請求項２】
前記外装体は、前記腹側伸縮領域よりもウエスト端部側に位置する部分に、該腹側伸縮領域よりも伸縮応力が低い腹側低伸縮応力領域を有しており、前記背側伸縮領域よりもウエスト端部側に位置する部分に、該背側伸縮領域よりも伸縮応力が低い背側低伸縮応力領域を有している、請求項１に記載の使い捨ておむつ。
【請求項３】
前記腹側固定部は、前記背側固定部に比して、前記長手方向に沿う長さが短い、請求項１又は２に記載の使い捨ておむつ。
【請求項４】
前記腹側部側のウエスト端部から前記腹側固定部の前記股下部側の端部までの距離が、前記背側部側のウエスト端部から前記背側固定部の前記股下部側の端部までの距離よりも短い、請求項１〜３の何れか１項に記載の使い捨ておむつ。
【請求項５】
前記腹側部側のウエスト端部から前記防漏カフの前記自由端伸縮部の前記腹側部側の端部までの距離が、前記背側部側のウエスト端部から前記防漏カフの前記自由端伸縮部の前記背側部側の端部までの距離よりも短い、請求項１〜４の何れか１項に記載の使い捨ておむつ。
【請求項６】
前記吸収性本体の前記腹側部側の端部から前記防漏カフの前記自由端伸縮部の前記腹側部側の端部までの距離が、該吸収性本体の前記背側部側の端部から前記防漏カフの前記自由端伸縮部の前記背側部側の端部までの距離よりも短い、請求項１〜５の何れか１項に記載の使い捨ておむつ。
【請求項７】
前記腹側固定部及び前記背側固定部の少なくとも一方は、前記腹側伸縮領域又は前記背側伸縮領域に配された弾性部材と重なっている、請求項１〜６の何れか１項に記載の使い捨ておむつ。
【請求項８】
前記背側部側のウエスト端部から前記防漏カフの前記自由端伸縮部の前記背側部側の端部までの距離が、該ウエスト端部から前記背側固定部の前記股下部側の端部までの距離以下である、請求項１〜７の何れか１項に記載の使い捨ておむつ。
【請求項９】
前記股下部における前記防漏カフは、前記吸収体の長手方向の側縁から幅方向内方に離間した位置に、前記吸収体の非肌対向面側に巻き下げられた前記表面シートと接合された固定端部を有し、前記防漏カフと前記表面シートは前記吸収体の非肌対向面側で接続されている、請求項１〜８の何れか１項に記載の使い捨ておむつ。
【請求項１０】
前記吸収体における前記腹側伸縮領域と厚み方向で重なる部分は、前記吸収体における前記腹側伸縮領域と厚み方向で重なる部分よりも剛性が高い、請求項１〜９の何れか１項に記載の使い捨ておむつ。
【請求項１１】
前記防漏カフを形成する前記不織布は、バルクソフトネスが１０ｃＮ以下である、請求項１〜１０の何れか１項に記載の使い捨ておむつ。
【請求項１２】
前記防漏カフを形成する前記不織布は、表面粗さの平均偏差（ＳＭＤ）が２．２μｍ以下である、請求項１〜１１の何れか１項に記載の使い捨ておむつ。
【請求項１３】
前記防漏カフは、１ｋＰａ圧縮時の変形量が１ｍｍ以上である、請求項１〜１２の何れか１項に記載の使い捨ておむつ。
【請求項１４】
前記腹側伸縮領域は、伸縮性シートで形成されている、請求項１〜１３の何れか１項に記載の使い捨ておむつ。
【請求項１５】
前記防漏カフは、該防漏カフを折り返した折り曲げ部が前記吸収体の長手方向に沿う側縁から幅方向内方に間隔を置いて配されており、前記自由端部が該折り曲げ部から幅方向外方に向くように配されており、
前記腹側固定部及び前記背側固定部が、それぞれ、前記防漏カフにおける前記折り曲げ部から固定端部側の部分が前記表面シート上に固定された第１端部固定部と、該固定端部側の部分と該防漏カフにおける該折り曲げ部から前記自由端部側の部分とが該表面シート上に固定された第２端部固定部とを有している、請求項１〜１４の何れか１項に記載の使い捨ておむつ。
【請求項１６】
前記腹側固定部においては、前記第１端部固定部の長手方向の長さが前記第２端部固定部の長手方向の長さよりも長い、請求項１５に記載の使い捨ておむつ。
【請求項１７】
前記背側固定部においては、前記第２端部固定部の長手方向の長さが前記第１端部固定部の長手方向の長さよりも長い、請求項１５又は１６に記載の使い捨ておむつ。
【発明の詳細な説明】
【技術分野】
【０００１】
本発明は、使い捨ておむつに関する。
【背景技術】
【０００２】
排泄物の漏れを防止する目的で、使い捨ておむつにおける吸収体の長手方向に沿う両側部に防漏カフが設けられることがある。例えば特許文献１には、近位縁及び遠位縁を備えるバリアカフ片を有し、おむつ長手方向の両端部に位置するカフ末端部結合領域において、バリアカフ片の遠位縁をトップシートに取り付けた使い捨ておむつが開示されている。
【０００３】
また特許文献２には、防漏カフを備える吸収性本体と該吸収性本体を固定している外装体とを備え、外装体に胴回り弾性部材によって形成された腹側押し当て領域と背側押し当て領域とを有するパンツ型の使い捨ておむつにおいて、腹側押し当て領域の収縮力を背側押し当て領域の収縮力よりも大きくすることが開示されている。
【先行技術文献】
【特許文献】
【０００４】
【特許文献１】特表２００９−５１１１１０号公報
【特許文献２】特開２０１２−１０１０６３号公報
【発明の概要】
【発明が解決しようとする課題】
【０００５】
低月齢の乳幼児の体形は、お腹が出っ張る一方、脚の付け根の鼠径部が凹んでおり、凹凸の差が大きい。特に乳幼児が動いたときには、その凹凸の差が一層大きくなり、防漏カフを備えていても肌との間の密着性が低下し、鼠径部からの漏れを生じやすくなる。
【０００６】
特許文献１には、バリアカフ片を固定するカフ末端部結合領域との関係における、幅方向の伸縮応力について何ら記載されておらず、同文献に記載のバリアカフ片においても、鼠径部に沿って配することができずに、漏れを生じる恐れがある。
【０００７】
また特許文献２には、防漏カフにおける長手方向両端の固定部と、腹側押し当て領域又は背側押し当て領域との位置関係について何ら記載されておらず、しかも腹側押し当て領域が背側押し当て領域よりも収縮力が大きくなっている。このような収縮力の関係を有していても、鼠径部に対する防漏カフのフィット性を向上させることができず、また、着用者の腹側の肌に、肌と防漏カフとの当接に起因するカフの跡が付き易い。
【０００８】
従って本発明の課題は、防漏カフの起立性が良好で腹部に対するフィット性に優れ、また臀部においては、防漏カフ及びその間の領域の全体としてのフィット性に優れており、漏れ防止効果に優れるパンツ型使い捨ておむつを提供することに関する。
【課題を解決するための手段】
【０００９】
本発明は、液透過性の表面シート、吸収体及び液難透過性の防漏シートを含む吸収性本体と、該吸収性本体の非肌当接面側に配された外装体とを有し、着用時に、着用者の腹側に配される腹側部、背側に配される背側部及び該腹側部と該背側部の間に位置する股下部を有し、ウエスト開口部及び一対のレッグ開口部を有し、着用者の前後方向に対応する長手方向と該長手方向に直交する幅方向とを有するパンツ型の使い捨ておむつであって、
前記外装体は、前記腹側部及び前記背側部に、前記幅方向に沿って弾性部材が配された幅方向伸縮領域を有しており、
前記吸収性本体は、前記長手方向の両側に該長手方向に沿って延びる防漏カフを備えており、該防漏カフは、前記幅方向の一方の端部に自由端部と他方の端部に固定端部とを有し、該自由端部に該長手方向に沿って防漏カフ弾性部材が固定された自由端伸縮部と、該長手方向の両端近傍に該表面シートに固定された端部固定部とを有しており、
前記自由端伸縮部と前記固定端部の間との不織布における前記幅方向の圧縮荷重値が５ｃＮ以下であり、
前記幅方向伸縮領域は、前記背側部側の前記端部固定部である背側固定部を含み且つ該背側固定部から前記幅方向外方に延在する領域である背側伸縮領域と、前記腹側部側の前記端部固定部である腹側固定部を含み且つ該腹側固定部から前記幅方向外方に延在する領域である腹側伸縮領域とを有しており、
前記背側伸縮領域の伸縮応力が、前記腹側伸縮領域の伸縮応力よりも高い、使い捨ておむつを提供するものである。
【発明の効果】
【００１０】
本発明の使い捨ておむつによれば、防漏カフの起立性が良好で漏れが防止でき、しかもカフの跡が付き難い。
【図面の簡単な説明】
【００１１】
【図１】図１は、本発明の使い捨ておむつの一実施形態を模式的に示す斜視図である。
【図２】図２は、図１に示すおむつの展開且つ伸長状態における肌対向面側（内面側）を模式的に示す展開平面図である。
【図３】図３は、図２に示すＩＩＩ−ＩＩＩ線断面を模式的に示す図である。
【図４】図４は、着用状態における図１に示すおむつの股下部の断面を模式的に示す図である。
【図５】図５は、本発明の別実施形態のおむつの展開且つ伸長状態における肌対向面側（内面側）を模式的に示す展開平面図である。
【図６】図６は、本発明のまた別の実施形態におけるおむつの展開且つ伸長状態の肌対向面側（内面側）を模式的に示す展開平面図である。
【図７】図７は、本発明の更に別の実施形態におけるおむつの展開且つ伸長状態の肌対向面側（内面側）を模式的に示す展開平面図である。
【図８】図８は、図７に示すＶＩＩＩ−ＶＩＩＩ線断面を模式的に示す図である。
【発明を実施するための形態】
【００１２】
以下本発明を、その好ましい実施形態に基づき図面を参照しながら説明する。図１及び図２には、本発明の一実施形態であるパンツ型使い捨ておむつ１が示されている。図１及び図２に示すように、おむつ１は、その着用時に着用者の腹側に配される腹側部Ｆと、着用者の背側に配される背側部Ｒと、それらの間に位置する股下部Ｍと有する。腹側部Ｆ及び背側部Ｒは、環状に連結されておむつ１の着用時に着用者の胴周りに配される胴周り部を形成している。おむつ１は、着用者の前後方向、即ち腹側部Ｆから股下部Ｍを介して背側部Ｒに延びる方向に対応する長手方向Ｘと、これに直交する幅方向Ｙとを有している。おむつ１は、吸収性本体２と、吸収性本体２の非肌対向面側に配された外装体３とを備えている。
【００１３】
本明細書において、「肌対向面」は、使い捨ておむつ又はその構成部材（例えば吸収性本体）に着目したときに、おむつの着用時に着用者の肌側に向けられる面、即ち相対的に着用者の肌に近い側に位置する面であり、「非肌対向面」は、使い捨ておむつ又はその構成部材における、使い捨ておむつの着用時に肌側とは反対側に向けられる面、即ち相対的に着用者の肌から遠い側に位置する面である。
【００１４】
おむつ１は、外装体３における腹側部Ｆの両側部と背側部Ｒの両側部とが、接着剤、ヒートシール、超音波シール等の接合手段によって互いに接合されている。図１に示すように、おむつ１はパンツ型使い捨ておむつである。おむつ１には、一対のサイドシール部Ｓ，Ｓ、着用者の胴が通されるウエスト開口部ＷＨ、及び着用者の下肢が通される一対のレッグ開口部ＬＨ，ＬＨが形成されている。
【００１５】
腹側部Ｆ、背側部Ｒ及び股下部Ｍは、図２に示すように、展開且つ伸長状態において、おむつ１をその長手方向Ｘの全長を３等分して３領域としたときの各領域である。図２に示す状態のおむつ１において、吸収性本体２は長手方向Ｘに長い略長方形形状である。吸収性本体２は外装体３における腹側部Ｆから背側部Ｒまでの領域に配されている。「展開且つ伸長状態」とは、おむつ１をサイドシール部Ｓで切り離して展開状態とし、その展開状態のおむつ１を各部の弾性部材を伸長させて設計寸法（弾性部材の影響を一切排除した状態で平面状に広げたときの寸法と同じ）となるまで拡げた状態をいう。吸収性本体２は、外装体３における幅方向Ｙの中央部に配置されている。吸収性本体２は、接着剤等の接合手段によって外装体３に接合されている。
【００１６】
吸収性本体２は、図２に示すように、液保持性の吸収体４と、おむつ１の肌対向面を形成する液透過性の表面シート５と、液難透過性の防漏シート７を備えている。吸収体４と表面シート５、及び吸収体４と防漏シート７とは、接着剤等の公知の接合手段によって接合されている。吸収体４は、吸収性本体２と同様に、おむつ１の長手方向Ｘに長い形状を有している。
【００１７】
吸収体４は、図３に示すように、吸収性コア４０と、吸収性コア４０を被覆するコアラップシート４１とを具備する。吸収性コア４０は、繊維集合体又はこれに吸水性ポリマーを保持させたものからなる。コアラップシート４１は、ティッシュペーパーや透水性の不織布からなる。コアラップシート４１は、好ましくは、吸収性コア４０の肌対向面側及び非肌対向面側の全体を被覆している。
【００１８】
吸収性コア４０は、図３に示すように、単層となっている。吸収性コア４０は、幅方向Ｙの内方に可撓部を備えていてもよいし、備えていなくてもよい。可撓部としては、吸収性コア４０を貫通するスリット又は坪量の低い低坪量部等が挙げられる。可撓部を備えていると、図４に示すように、着用状態において、該可撓部を軸として、吸収性本体２の長手方向Ｘに沿う側部領域２Ｓが股下部Ｍにおいて立ち上がり易くなり、尿等の排泄物が幅方向Ｙ外方へ流出することを阻止できる。図４に示す実施形態では、可撓部として、長手方向Ｘに延びる一対のスリット４４，４４を有している。スリット４４は、少なくとも股下部Ｍにおける吸収性コア４０の長手方向Ｘに沿う両側縁それぞれから離間した内方位置に配されている。吸収性コア４０は、スリット４４に加えてスリット４４から幅方向Ｙ外方に位置する側部領域４３を有している。吸収性本体２の側部領域２Ｓは側部領域４３に対応する位置に形成されている。スリット４４の代わりに低坪量部を備えるときには、該低坪量部の坪量は、該低坪量部の幅方向Ｙに隣接する高坪量部（低坪量部でない部分）の吸収性コア４０の坪量に対して、８０％以下であることが好ましい。高坪量部は少なくとも低坪量部の幅方向Ｙの中央側に隣接していればよい。低坪量部は、吸収性コア４０の密度については、幅方向Ｙに隣接する高坪量部の密度に比して低いが、厚みについては必ずしも前者が後者に比して小さいとは限らず、前者と後者とが同等、あるいは前者が後者に比して大きい場合があり得る。高坪量部内に吸収性コア４０を貫通する長手方向Ｘに延びるスリット又は低坪量部が部分的に配されていてもよい。なお吸収性コア４０は多層となっていてもよい。多層となっている形態としては、例えば吸収性コアが下層側吸収性コアと上層側吸収性コアから構成されており、下層側吸収性コアの幅が上層側吸収性コアの幅よりも長い形態が挙げられる。下層側吸収性コアの幅が上層側吸収性コアの幅よりも長いときには、下層側吸収性コアにおける上層側吸収性コアの側縁から幅方向Ｙ外方に位置する部分が低坪量部となり、上層側吸収性コアと下層側吸収性コアとが重なる部分が高坪量部となる。
【００１９】
表面シート５は、吸収体４の肌対向面側に配されている。図３に示すように、表面シート５は、吸収体４の全域を覆い、吸収体４の長手方向Ｘの側縁から非肌対向面側に巻き下げられている。表面シート５は、吸収体４の肌対向面の全域を覆い、それに加えて吸収体４の両側部領域４３，４３における非肌対向面側を覆うように配されている。
【００２０】
防漏シート７は、図３に示すように、吸収体４の非肌対向面側に配されている。防漏シート７は、吸収体４の非肌対向面の全域を覆うように配されている。外装体３の肌対向面側には、防漏シート７、防漏カフ６を構成する不織布６０及び吸収性本体２が、ホットメルト型接着剤等の接着剤によって順次接合されている。
【００２１】
おむつ１の外装体３は、図３に示すように、２枚の外装体形成用シート３１，３２と、これら２枚のシート間に伸長状態で固定された各部の弾性部材とからなる。２枚の外装体形成用シート３１，３２の間には、図２に示すように、ウエスト開口部ＷＨの周縁からレッグ開口部ＬＨの上端までの領域に、幅方向Ｙに伸長状態の弾性部材３３が長手方向Ｘに間隔を置いて配されている。弾性部材３３は、伸長状態でホットメルト型接着剤等の任意の接合手段によりシート３１，３２間に接合固定されている。弾性部材３３が収縮することによって、腹側部Ｆ及び背側部Ｒそれぞれに幅方向Ｙに伸縮する幅方向伸縮領域を形成する。幅方向伸縮領域は、ウエスト開口部ＷＨの周縁部にウエストギャザーを有し、胴回り部に胴回りギャザーを有している。該胴回り部とは、ウエスト開口部ＷＨの周縁端から下方に２０ｍｍ離間した位置からレッグ開口部ＬＨの上端までの領域のことである。なおレッグ開口部ＬＨの周縁部にはレッグギャザーを形成するレッグ部弾性部材３４が配されている。
【００２２】
図２に示すように、吸収性本体２には、肌対向面における長手方向Ｘに沿う両側部に、一対の防漏カフ６，６が設けられている。防漏カフ６は、立ち上がりやすくまた曲がりやすいことで体へのフィット性が良好となる観点から、柔軟性の高い不織布を用いて形成されている。防漏カフ６の不織布６０の柔軟性は圧縮荷重値で評価することができる。防漏カフ６の不織布６０におけるおむつ幅方向の圧縮荷重値は、５ｃＮ以下であることが好ましく、４ｃＮ以下であることがさらに好ましい。圧縮荷重値の下限値は０ｃＮに近ければ近いほど好ましいが、１ｃＮ以上であれば、防漏カフ６に十分な柔らかさを付与できる。不織布６０のおむつ幅方向の圧縮荷重値は以下の方法で測定される。
【００２３】
〔圧縮荷重値の測定法〕
吸収性本体２から防漏カフ６を切り取る。
防漏カフ弾性部材が防漏カフに固定された自由端伸縮部６４が表面シート５上に固定された腹側固定部６Ｆと背側固定部６Ｒとの間の領域において、吸収性本体２の長手方向Ｘに沿って８０ｍｍ×２０ｍｍの不織布６０を切り出す。この時、２枚の不織布が接合されている場合には溶剤などを用いてはがして１枚の不織布とする。この不織布を長手方向中央部において幅方向に沿った線で折り畳み、さらにその長手方向中央部において幅方向に沿った線で折り畳み４重の測定片とする。防漏カフの２枚の不織布が接合されていて幅方向端部に５ｍｍ以上の非接合部が長手方向に沿って連続してある場合には、２枚の接合された不織布のまま長手方向に沿って４０ｍｍ×２０ｍｍの大きさに切り出しても良い。非接合部がある場合、この２枚の接合不織布の長手方向中央部において幅方向に沿った線で折り畳み４重の測定片とし非接合部側を測定する。測定片はしわを伸ばし、折りたたんだ状態の非接合部側をダブルクリップなどによりはさむことで、非接合部をそろえる。
得られた４重の測定片（サンプル幅；２０ｍｍ）を、圧縮試験機（例えば、島津製作所製オートグラフ圧縮試験機「ＡＧ−Ｘ」）の下側のチャックに、幅方向を縦にして端部の５ｍｍがチャック上部にはみ出るように挟み、上側に取り付けた直径３０ｍｍ以上の円形圧縮プレートで、１０ｍｍ／分の速度で圧縮したときに示す最大荷重を測定する。
なお、測定片の幅方向長さは端部の５ｍｍがチャック上部にはみ出るように試験機のチャックに挟むことができれば２０ｍｍに満たなくてもよい。
５つのサンプルについて同様の測定を行い、それらの平均値を圧縮荷重値とする。
【００２４】
図３及び図４に示すように、防漏カフ６は、圧縮荷重値が５ｃＮ以下の２枚の不織布６０，６０を相対向するように配して構成されている。２枚の不織布は、圧縮荷重値の条件を満たす別々の不織布であってもよく、圧縮荷重値の条件を満たす１枚の不織布を二つ折りしたものであってもよい。図３に示す実施形態においては、防漏カフ６は、１枚の不織布６０を二つ折りし、２枚の不織布６０，６０を相対向するように配して構成されている。
【００２５】
図３及び図４に示すように、防漏カフ６は、幅方向Ｙの自由端部６１には、２枚の不織布６０，６０の間に一本以上の防漏カフ弾性部材６３が接着剤により固定されている。防漏カフ弾性部材６３が長手方向Ｘに沿って伸長状態で固定されていることに起因して、防漏カフ６は自由端部６１に自由端伸縮部６４を有するようになる。
【００２６】
図２に示すように、防漏カフ６は、長手方向Ｘの両端近傍に、吸収性本体２の表面シート５上に直接固定された端部固定部を有している。腹側部Ｆの端部において、表面シート５上に防漏カフ６の自由端部６１が固定されて腹側の端部固定部である腹側固定部６Ｆが形成されている。また背側部Ｒの端部において、表面シート５上に防漏カフ６の自由端部６１が固定されて背側の端部固定部である背側固定部６Ｒが形成されている。この固定には、ヒートシール、超音波シール、ホットメルト型接着剤等の公知の固定方法を用いることができる。防漏カフ６は、図４に示すように、腹側固定部６Ｆと背側固定部６Ｒとの間の起立可能領域において防漏カフ弾性部材６３の自由端伸縮部６４がおむつ１の着用時に収縮することによって股下部Ｍで起立するようになる。防漏カフ６が起立すれば尿等の排泄物が幅方向Ｙ外方へ流出することを阻止できる。
【００２７】
防漏カフ６は、幅方向Ｙの両端部のうち、一方の端部に自由端部６１と他方の端部に固定端部６２とを有している。自由端部６１には自由端伸縮部６４が防漏カフ６の起立可能領域に形成されている。図３に示すように、防漏カフ６の自由端部６１と反対側の端部は、吸収体４の側部領域４３の非肌対向面側に巻き下げられた表面シート５に接合されている。この接合によって防漏カフ６は吸収体４の長手方向Ｘに沿う側縁から離間した位置に固定端部６２を有するようになる。この接合には、ヒートシール、超音波シール、ホットメルト型接着剤等の公知の接合方法を用いることができる。固定端部６２は、吸収性本体２の側縁に沿って延びている。
【００２８】
防漏カフ６は、図２及び図３に示すように、伸長させた展開状態のおむつ１において、自由端部６１と固定端部６２との間に防漏カフ６が屈曲した折り曲げ部６６を有している。屈曲した防漏カフ６は、自由端部６１が吸収性本体２の肌対向面上に折り返されている。折り曲げ部６６は自由端部６１から幅方向Ｙ外方に位置している。このように屈曲した防漏カフ６は、いわゆる内折り型のものとなっている。
【００２９】
防漏カフ６は、折り曲げ部６６に、弾性部材を有していてもよく、弾性部材を有していなくてもよい。図２に示す実施形態においては、防漏カフ６が屈曲し易くなる観点から、防漏カフ６は、折り曲げ部６６に１本の弾性部材６７を有している。長手方向Ｘに伸長状態の弾性部材６７が、股下部Ｍにおいて２枚の不織布６０，６０の間に接着剤によって固定されている。
【００３０】
図２に示すように、外装体３の幅方向伸縮領域は、ウエスト開口部からレッグ開口部間において幅方向Ｙに連続して形成されている。幅方向伸縮領域は、腹側固定部６Ｆに位置する腹側伸縮領域７Ｆを有し、背側固定部６Ｒに位置する背側伸縮領域７Ｒを有している。腹側伸縮領域７Ｆは、腹側固定部６Ｆを含み、腹側固定部６Ｆから幅方向Ｙ外方に延在する領域である。一方、背側伸縮領域７Ｒは、背側固定部６Ｒを含み、背側固定部６Ｒから幅方向Ｙ外方に延在する領域である。そして背側伸縮領域７Ｒの伸縮応力が腹側伸縮領域７Ｆの伸縮応力よりも高くなっている。このように端部固定部に位置する伸縮領域とは、図２に示す展開状態において、幅方向伸縮領域における、端部固定部の長手方向Ｘの位置と同じ位置にある領域をいう。端部固定部の長手方向Ｘの位置は、端部固定部における長手方向Ｘに最も長い部位での位置である。したがって、伸縮領域の長手方向Ｘの長さは、端部固定部における長手方向Ｘの最長の長さと一致している。
【００３１】
なお、端部固定部に位置する伸縮領域は、図３に示す防漏カフ６のように、内折り型のカフであるときには、吸収性本体２の表面シート５上の端部固定部は１つであるので、該端部固定部に基づいて特定できる。一方、後述する図７に示す防漏カフ６のように、外折り型のカフであるときには、吸収性本体２の表面シート５上の端部固定部は２つある。このように端部固定部が複数存在する場合には、最も肌対向面側の固定部に基づいて伸縮領域を特定する。
【００３２】
本実施形態のおむつ１によれば、自由端伸縮部６４と固定端部６２との間の領域における不織布の圧縮荷重値が５ｃＮ以下という柔軟な不織布６０となっており、しかも腹側固定部６Ｆの肌への押圧力が背側固定部６Ｒ側に比較して低いため、防漏カフ弾性部材６３の張力に対する応答性がよく、一旦曲がっても復元性が高いので、防漏カフ６の起立性が良好で腹部、例えば、脚の付け根の鼠径部に対するフィット性に優れる。
他方、背側伸縮領域７Ｒは、腹側伸縮領域７Ｆよりも伸縮応力が高くなっているため、臀部においては、防漏カフ６及びその間の領域の全体としての肌に対するフィット性に優れている。しかも、腹側部Ｆ側の腹側伸縮領域７Ｆの伸縮応力が相対的に低いので、着用者の腹側において防漏カフ６を肌に密着させても、肌と防漏カフとの当接に起因するカフの跡が付き難い。おむつ１は、生後１０カ月までの低月齢児に特に有効である。
【００３３】
着用状態において、背側部Ｒにおいては防漏カフ６及び防漏カフ６間の領域の全体を腰部の凹みに沿って肌に対する密着性を向上させる観点、又は腹側部Ｆにおいては防漏カフ６を腹部のふくらみと鼠径部の境界に沿って起立させ、乳幼児の複雑な凹凸のある体型へのフィット性を向上させる観点から、腹側伸縮領域７Ｆの伸縮応力に対する、背側伸縮領域７Ｒの伸縮応力は、１．０４倍以上であることが好ましく、１．０５倍以上であることが更に好ましく、また２．０倍以下であることが好ましく、１．８倍以下であることが更に好ましく、そして１．０４倍以上２．０倍以下であることが好ましく、１．０５倍以上１．８倍以下であることが更に好ましい。背側部Ｒにおいては防漏カフ６を肌に密着させる観点から、背側伸縮領域７Ｒの伸縮応力は、０．８ｃＮ／ｍｍ以上であることが好ましく、１．０ｃＮ／ｍｍ以上であることが更に好ましく、また７．０ｃＮ／ｍｍ以下であることが好ましく、６．０ｃＮ／ｍｍ以下であることが更に好ましく、そして０．８ｃＮ／ｍｍ以上７．０ｃＮ／ｍｍ以下であることが好ましく、１．０ｃＮ／ｍｍ以上６．０ｃＮ／ｍｍ以下であることが更に好ましい。腹側部Ｆにおいては防漏カフ６を鼠径部に沿って起立させる観点から、腹側伸縮領域７Ｆの伸縮応力は、０．６ｃＮ／ｍｍ以上であることが好ましく、０．８ｃＮ／ｍｍ以上であることが更に好ましく、また５．５ｃＮ／ｍｍ以下であることが好ましく、４．５ｃＮ／ｍｍ以下であることが更に好ましく、そして０．６ｃＮ／ｍｍ以上５．５ｃＮ／ｍｍ以下であることが好ましく、０．８ｃＮ／ｍｍ以上４．５ｃＮ／ｍｍ以下であることが更に好ましい。伸縮領域７Ｆ，７Ｒの伸縮応力は、以下の方法で測定される。
【００３４】
〔伸縮応力の測定法〕
上述したおむつ１を例に挙げて説明すると、おむつ１のサイドシール部Ｓを引き剥がして、おむつ１を展開状態とし、伸長させた状態の外装体３から、伸縮応力の測定対象部位を、平面視して幅方向Ｙに長い長方形形状の測定サンプルとして切り出す。この切り出しの際には、外装のみならず、吸収性本体等を含むおむつ全体を切断する。まず、伸長させた状態のおむつの幅方向伸縮領域から、腹側固定部６Ｆの長手方向Ｘの位置と同じ位置にある領域を切り出し、これを腹側伸縮領域７Ｆの測定サンプルとする。同様に、幅方向伸縮領域から、背側固定部６Ｒの長手方向Ｘの位置と同じ位置にある領域を切り出し、これを背側伸縮領域７Ｒの測定サンプルとする。切り出した各測定サンプルに関しては、おむつ１の長手方向Ｘの長さと、おむつ１の幅方向Ｙの長さとを測定しておく。次に、測定サンプルを、該測定サンプルの長手方向と引張方向とが一致するように、引張試験機（例えば、オリエンテック社製の「ＲＴＡ−１００」等）のチャック間に固定する。チャック間距離は１００ｍｍとする。そして、チャック間に測定サンプルを固定し、３００ｍｍ／ｍｉｎの速度で、チャック距離を、測定サンプルの伸長度が８０となる長さまで増大させた後、測定サンプルの伸長度が７１となる長さまで減少させたときの引張り荷重（Ｎ）を測定し、これを測定サンプルの応力（Ｎ）とする。前記の伸長度は、測定サンプルの長手方向の全長を１００としたとき、該全長に対する、測定サンプルの長手方向に伸長させた測定サンプルにおける長手方向の長さの比率である。例えば、測定サンプルの長手方向の長さが３５０ｍｍである場合、伸長度８０における測定サンプルの長手方向の長さは２８０ｍｍであり、伸長度７１における測定サンプルの長手方向の長さは２５０ｍｍである。そして、得られた応力（Ｎ）を予め測定したおむつ１の長手方向Ｘの長さで除して得られる値を、当該測定サンプルの伸縮応力（ｃＮ／ｍｍ）とする。
【００３５】
背側伸縮領域７Ｒの伸縮応力を腹側伸縮領域７Ｆの伸縮応力よりも高めるためには、例えば、背側伸縮領域７Ｒに配される弾性部材３３の種類、太さ、長手方向Ｘ１ｃｍあたりに存在する本数、伸長倍率等を、腹側伸縮領域７Ｆに配される弾性部材３３とは異ならせることで可能である。具体的には、下記の構成（１）〜（３）の何れか１つを、又はこれらの２以上を組み合わせて具備することが好ましい。
構成（１）  背側伸縮領域７Ｒ及び腹側伸縮領域７Ｆそれぞれに配される弾性部材３３が糸状のものであるときには、背側伸縮領域７Ｒに配される弾性部材３３の長手方向Ｘ１ｃｍあたりに存在する本数（単位面積当たりの本数）を腹側伸縮領域７Ｆに配される弾性部材３３の本数よりも多くする。
構成（２）  背側伸縮領域７Ｒ及び腹側伸縮領域７Ｆそれぞれに配される弾性部材３３が糸状のものであるときには、背側伸縮領域７Ｒに配される各弾性部材３３の平均太さを腹側伸縮領域７Ｆに配される各弾性部材３３の平均太さよりも大きくする。伸縮領域に配された全ての弾性部材について非伸長状態における太さを求め、それらの平均値を「平均太さ」とする。
構成（３）  背側伸縮領域７Ｒ及び腹側伸縮領域７Ｆそれぞれに配される弾性部材３３が糸状のものであるときには、背側伸縮領域７Ｒに配される各弾性部材３３の平均伸長倍率を腹側伸縮領域７Ｆに配される各弾性部材３３の平均伸長倍率よりも大きくする。伸長倍率は、以下の方法で測定される。
【００３６】
〔伸長倍率の測定法〕
先ず、伸縮領域を伸縮方向に最大に伸長させた状態にして、シート上から弾性部材に油性ペンを用いて、該伸縮方向に一定間隔Ｌ０（例：１００ｍｍ）をあけて２つの印を付ける。この際、油性ペンのインクが、シートから浸みこむため、弾性部材に前記印を付すことができる。次いで、伸縮領域における弾性部材から、前記２つの印間を切り出す。この切り出した弾性部材の長さＬ１を非伸長状態で測定する。次いで、下記式〔Ａ〕により、伸長倍率を求める。
伸長倍率（％）＝（Ｌ０／Ｌ１）×ｌ００・・・〔Ａ〕
伸縮領域に配された全ての弾性部材について伸長倍率を求め、それらの平均値を「平均伸長倍率」とする。
【００３７】
図２に示す外装体３は、腹側部Ｆにおいては、腹側伸縮領域７Ｆの長手方向Ｘの外端からウエスト開口部ＷＨのウエスト端部、すなわち腹側部Ｆの長手方向Ｘの端部側に位置する部分に、ウエスト端部側の伸縮領域７１Ｆを有している。伸縮領域７１Ｆは、腹側伸縮領域７Ｆよりも伸縮応力が低い腹側低伸縮応力領域となっている。このように構成されているので、腹側の肌に伸縮領域７１Ｆのギャザー跡が付き難くなる。また腹側伸縮領域７Ｆの長手方向Ｘの内端からレッグ開口部ＬＨ側に位置する部分に、レッグ開口部ＬＨ側の伸縮領域７２Ｆを有している。伸縮領域７２Ｆは腹側伸縮領域７Ｆよりも伸縮応力が高くなっている。このように構成されているので、腹側部Ｆにおいて防漏カフ６が鼠径部に沿って起立し易くなる。伸縮領域７１Ｆ，７２Ｆの伸縮応力は、上述した伸縮領域７Ｆ，７Ｒの伸縮応力と同様の方法で測定される。
【００３８】
腹側の肌に伸縮領域７１Ｆのギャザー跡を付き難くする観点から、伸縮領域７１Ｆの伸縮応力に対する、腹側伸縮領域７Ｆの伸縮応力は、１．０４倍以上であることが好ましく、１．０５倍以上であることが更に好ましく、また２．０倍以下であることが好ましく、１．８倍以下であることが更に好ましく、そして１．０４倍以上２．０倍以下であることが好ましく、１．０５倍以上１．８倍以下であることが更に好ましい。
【００３９】
図２に示す外装体３は、背側部Ｒにおいては、背側伸縮領域７Ｒの長手方向Ｘの外端からウエスト開口部ＷＨのウエスト端部、すなわち背側部Ｒの長手方向Ｘの端部側に位置する部分に、ウエスト端部側の伸縮領域７１Ｒを有している。伸縮領域７１Ｒは、背側伸縮領域７Ｒよりも伸縮応力が低い背側低伸縮応力領域となっている。このように構成されているので、背側の肌に伸縮領域７１Ｒのギャザー跡が付き難くなる。また伸縮領域７１Ｒは、ウエスト開口部ＷＨの周縁から下方に４０ｍｍ離間した位置までの第１伸縮領域Ｒ１と、前記の４０ｍｍ離間した位置からレッグ開口部ＬＨの上端までの第２伸縮領域Ｒ２との２つの区分を有する。第１伸縮領域Ｒ１及び第２伸縮領域Ｒ２は、何れも背側伸縮領域７Ｒよりも伸縮応力が低くなっている。第１伸縮領域Ｒ１は第２伸縮領域Ｒ２よりも伸縮応力が低くなっている。このように構成されているので、背側部Ｒにおいて防漏カフ６が肌に密着し易くなる。伸縮領域７１Ｒ，Ｒ１，Ｒ２の伸縮応力は、上述した伸縮領域７Ｆ，７Ｒの伸縮応力と同様の方法で測定される。
【００４０】
背側の肌に伸縮領域７１Ｒのギャザー跡を付き難くする観点から、伸縮領域７１Ｒの伸縮応力に対する、背側伸縮領域７Ｒの伸縮応力は、１．１倍以上であることが好ましく、１．１５倍以上であることが更に好ましく、また２．０倍以下であることが好ましく、１．８倍以下であることが更に好ましく、そして１．１倍以上２．０倍以下であることが好ましく、１．１５倍以上１．８倍以下であることが更に好ましい。
【００４１】
背側伸縮領域７Ｒの伸縮応力を腹側伸縮領域７Ｆの伸縮応力よりも高くする観点から、図２に示す展開状態において、腹側固定部６Ｆの長手方向Ｘの長さＬｆ１が背側固定部６Ｒの長手方向Ｘの長さＬｒ１よりも短いことが好ましい。端部固定部の長手方向Ｘの長さとは、端部固定部における長手方向Ｘの最長の長さをいう。長さＬｆ１に対する長さＬｒ１は、１．１倍以上であることが好ましく、１．２倍以上であることが更に好ましく、また２．０倍以下であることが好ましく、１．８倍以下であることが更に好ましく、そして１．１倍以上２．０倍以下であることが好ましく、１．２倍以上１．８倍以下であることが更に好ましい。腹側部Ｆにおいて防漏カフ６が鼠径部に沿って起立し易くなる観点から、長さＬｆ１は、３０ｍｍ以上であることが好ましく、３５ｍｍ以上であることが更に好ましく、また６５ｍｍ以下であることが好ましく、６０ｍｍ以下であることが更に好ましく、そして３０ｍｍ以上６５ｍｍ以下であることが好ましく、３５ｍｍ以上６０ｍｍ以下であることが更に好ましい。背側部Ｒにおいて防漏カフ６が肌に密着し易くなる観点から、長さＬｒ１は、４０ｍｍ以上であることが好ましく、４５ｍｍ以上であることが更に好ましく、また７０ｍｍ以下であることが好ましく、６５ｍｍ以下であることが更に好ましく、そして４０ｍｍ以上７０ｍｍ以下であることが好ましく、４５ｍｍ以上６５ｍｍ以下であることが更に好ましい。
【００４２】
着用状態において、背側部Ｒにおいては防漏カフ６及び防漏カフ６間の領域の全体を腰部の凹みに沿って肌に対する密着性を向上させる観点、又は腹側部Ｆにおいては防漏カフ６を腹部のふくらみと鼠径部の境界に沿って起立させ、乳幼児の複雑な凹凸のある体型へのフィット性を向上させる観点から、図２に示す展開状態において、腹側部Ｆ側のウエスト端部から腹側固定部の股下部Ｍ側の端部までの距離Ｌｆ２が、背側部Ｒ側のウエスト端部から背側固定部６Ｒの股下部Ｍ側の端部までの距離Ｌｒ２よりも短いことが好ましい。
距離Ｌｆ２は、図２に示す展開状態において、ウエスト開口部ＷＨの周縁と腹側固定部６Ｆにおける最も股下部Ｍ側の下端との間隔である。同様に、距離Ｌｒ２は、ウエスト開口部ＷＨの周縁と背側固定部６Ｒにおける最も股下部Ｍ側の下端との間隔である。距離Ｌｆ２に対する距離Ｌｒ２は、１，０５倍以上であることが好ましく、１．１倍以上であることが更に好ましく、また１．５倍以下であることが好ましく、１．４倍以下であることが更に好ましく、そして１．０５倍以上１．５倍以下であることが好ましく、１．１倍以上１．４倍以下であることが更に好ましい。腹側部Ｆにおいて防漏カフ６が鼠径部に沿って起立し易くなる観点から、長さＬｆ２は、５０ｍｍ以上であることが好ましく、５５ｍｍ以上であることが更に好ましく、また１０５ｍｍ以下であることが好ましく、１００ｍｍ以下であることが更に好ましく、そして５０ｍｍ以上１０５ｍｍ以下であることが好ましく、５５ｍｍ以上１００ｍｍ以下であることが更に好ましい。背側部Ｒにおいて防漏カフ６が肌に密着し易くなる観点から、長さＬｒ２は、６０ｍｍ以上であることが好ましく、６５ｍｍ以上であることが更に好ましく、また１３０ｍｍ以下であることが好ましく、１２０ｍｍ以下であることが更に好ましく、そして６０ｍｍ以上１３０ｍｍ以下であることが好ましく、６５ｍｍ以上１２０ｍｍ以下であることが更に好ましい。
【００４３】
防漏カフ６が背側部Ｒ側よりも腹側部Ｆ側で起立し易く、腹側部Ｆにおいて防漏カフ６が鼠径部に沿って起立し易くなる観点から、腹側部Ｆ側のウエスト端部から自由端伸縮部６４の腹側部Ｆ側の端部までの距離Ｌｆ３が、背側部Ｒ側のウエスト端部から自由端伸縮部６４の背側部Ｒ側の端部までの距離Ｌｒ３よりも短いことが好ましい。距離Ｌｆ３は、図２に示す展開状態において、腹側部Ｆにおけるウエスト開口部ＷＨの周縁と自由端伸縮部６４の最もウエスト開口部ＷＨ寄りの端との間隔である。同様に、距離Ｌｒ３は、背側部Ｒにおけるウエスト開口部ＷＨの周縁と自由端伸縮部６４の最もウエスト開口部ＷＨ寄りの端との間隔である。自由端伸縮部６４の前記端は、収縮状態の防漏カフ６において、自由端伸縮部６４の端と想定する位置の近傍の防漏カフを構成する不織布６０が積層されている２枚をずらすようにこすることで、防漏カフ弾性部材が不織布６０に接合している端部を特定することができ、自由端伸縮部６４の端と特定できる。
【００４４】
距離Ｌｆ３に対する距離Ｌｒ３は、１．０５倍以上であることが好ましく、１．１倍以上であることが更に好ましく、また３．０倍以下であることが好ましく、２．５倍以下であることが更に好ましく、そして１．０５倍以上３．０倍以下であることが好ましく、１．１倍以上２．５倍以下であることが更に好ましい。腹側部Ｆにおいて防漏カフ６が鼠径部に沿って起立し易くなる観点から、長さＬｆ３は、５０ｍｍ以上であることが好ましく、５５ｍｍ以上であることが更に好ましく、また１２０ｍｍ以下であることが好ましく、１１０ｍｍ以下であることが更に好ましく、そして５０ｍｍ以上１２０ｍｍ以下であることが好ましく、５５ｍｍ以上１１０ｍｍ以下であることが更に好ましい。背側部Ｒにおいて防漏カフ６が肌に密着し易くなる観点から、長さＬｒ３は、６０ｍｍ以上であることが好ましく、６５ｍｍ以上であることが更に好ましく、また１４０ｍｍ以下であることが好ましく、１３０ｍｍ以下であることが更に好ましく、そして６０ｍｍ以上１４０ｍｍ以下であることが好ましく、６５ｍｍ以上１３０ｍｍ以下であることが更に好ましい。
【００４５】
背側部Ｒにおいて防漏カフ６が臀部に沿って密着し易くなる観点から、腹側部Ｆ及び背側部Ｒのうちの少なくとも背側部Ｒにおいては、背側部Ｒ側のウエスト端部から自由端伸縮部６４の背側部Ｒ側の端部までの距離Ｌｒ３が、背側部Ｒ側のウエスト端部から背側固定部６Ｒの股下部Ｍ側の端部までの距離Ｌｒ２以下であることが好ましい。距離Ｌｒ３に対する距離Ｌｒ２は、１．０倍以上であることが好ましく、１．０５倍以上であることが更に好ましく、また１．４倍以下であることが好ましく、１．３倍以下であることが更に好ましく、そして１．０倍以上１．４倍以下であることが好ましく、１．０５倍以上１．３倍以下であることが更に好ましい。なお、腹側部Ｆにおいて防漏カフ６が鼠径部に沿って起立し易くなる観点から、腹側部Ｆにおいては、腹側部Ｆ側のウエスト端部から自由端伸縮部６４の腹側部Ｆ側の端部までの距離Ｌｆ３が、腹側部Ｆ側のウエスト端部から腹側固定部６Ｆの股下部Ｍ側の端部までの距離Ｌｆ２以下であることが好ましい。距離Ｌｆ３に対する距離Ｌｆ２は、１．０倍以上であることが好ましく、１．０５倍以上であることが更に好ましく、また１．７倍以下であることが好ましく、１．５倍以下であることが更に好ましく、そして１．０倍以上１．７倍以下であることが好ましく、１．０５倍以上１．５倍以下であることが更に好ましい。
【００４６】
防漏カフ６が背側部Ｒ側よりも腹側部Ｆ側で起立し易く、腹側部Ｆにおいて防漏カフ６が鼠径部に沿って起立し易くなる観点から、吸収性本体２の腹側部Ｆ側の端部から自由端伸縮部６４の腹側部Ｆ側の端部までの距離Ｌｆ４が、吸収性本体２の背側部Ｒ側の端部から自由端伸縮部６４の背側部Ｒ側の端部までの距離Ｌｒ４よりも短いことが好ましい。距離Ｌｆ４は、図２に示す展開状態において、腹側部Ｆにおける吸収性本体２の最もウエスト開口部ＷＨ寄りの端と自由端伸縮部６４の最もウエスト開口部ＷＨ寄りの端との間隔である。同様に、距離Ｌｒ４は、背側部Ｒにおける吸収性本体２の最もウエスト開口部ＷＨ寄りの端と自由端伸縮部６４の最もウエスト開口部ＷＨ寄りの端との間隔である。
【００４７】
距離Ｌｆ４に対する距離Ｌｒ４は、１．１倍以上であることが好ましく、１．２倍以上であることが更に好ましく、また２．０倍以下であることが好ましく、１．８倍以下であることが更に好ましく、そして１．１倍以上２．０倍以下であることが好ましく、１．２倍以上１．８倍以下であることが更に好ましい。腹側部Ｆにおいて防漏カフ６が鼠径部に沿って起立し易くなる観点から、長さＬｆ４は、２５ｍｍ以上であることが好ましく、３０ｍｍ以上であることが更に好ましく、また７０ｍｍ以下であることが好ましく、６５ｍｍ以下であることが更に好ましく、そして２５ｍｍ以上７０ｍｍ以下であることが好ましく、３０ｍｍ以上６５ｍｍ以下であることが更に好ましい。背側部Ｒにおいて防漏カフ６が肌に密着し易くなる観点から、長さＬｒ４は、３０ｍｍ以上であることが好ましく、３５ｍｍ以上であることが更に好ましく、また８０ｍｍ以下であることが好ましく、７０ｍｍ以下であることが更に好ましく、そして３０ｍｍ以上８０ｍｍ以下であることが好ましく、３５ｍｍ以上７０ｍｍ以下であることが更に好ましい。
【００４８】
腹側固定部６Ｆ及び背側固定部６Ｒの少なくとも一方は、腹側伸縮領域７Ｆ又は背側伸縮領域７Ｒに配された弾性部材３３と重なっていることが好ましい。このような構成であると、腹側伸縮領域７Ｆ又は背側伸縮領域７Ｒの伸縮応力が、腹側固定部６Ｆ又は背側固定部６Ｒを介して防漏カフ６に伝わり易く、着用状態において防漏カフ６が起立し易くなる。ここで言う腹側固定部６Ｆ又は背側固定部６Ｒと厚み方向で重なる弾性部材３３とは、弾性部材３３において、幅方向Ｙに伸縮性能を発現しない状態となっている端部の部分を除き、幅方向Ｙに伸縮性能を有している部分を意味する。腹側部Ｆにおいて防漏カフ６が鼠径部に沿って起立し易くなる観点からは、腹側固定部６Ｆが腹側伸縮領域７Ｆに配された弾性部材３３と重なっていることが好ましい。
【００４９】
図２に示す弾性部材３３は、吸収性本体２と重なる部分のうち、少なくとも股下部Ｍ側の一部は両側部領域２Ｓ，２Ｓの内側縁どうしに挟まれた領域２Ｔと重なる位置においては、細かく分断されて分断体（不図示）の状態で存在している。分断体は、もはや弾性部材の収縮力を発現しない状態となっている。一方、側部領域２Ｓと重なる位置を含み且つ側部領域２Ｓの外側縁から幅方向Ｙ外方においては、弾性部材３３が収縮力を発現し、胴回り部のギャザーが形成されている。図２に示す実施形態では、腹側固定部６Ｆが腹側伸縮領域７Ｆに配された弾性部材３３と重なっており、それに加えて背側固定部６Ｒが背側伸縮領域７Ｒに配された弾性部材３３と重なっている。このように構成されていると、図４に示すように、着用状態において、吸収性コア４０のスリット４４を軸として、吸収性本体２の側部領域２Ｓが股下部Ｍにおいて立ち上がり易いことと相俟って、着用状態において防漏カフ６の起立性が更に向上する。更に、上述のとおり、防漏カフ６が、吸収体４の側部領域４３の非肌対向面側に巻き下げられた表面シート５に接合されているので、防漏カフ６の起立に伴って吸収体４の側部領域４３が股下部Ｍにおいて立ち上がり易く、股下部Ｍにおいて更に肌にフィットし易い。そして側部領域４３の非肌対向面側からも体液を吸収できるので、漏れ防止効果が向上する。
【００５０】
防漏カフ６は、立ち上がりやすくまた曲がりやすいことで体へのフィット性が良好となる観点から、柔軟性の高い不織布を用いて形成されている。バルクソフトネスが１０ｃＮ以下の不織布６０を用いて形成されている。同様の観点から、該不織布６０のバルクソフトネスは、１０ｃＮ以下であることが好ましく、８ｃＮ以下であることが更に好ましい。不織布６０のバルクソフトネスの下限値は０に近ければ近いほど好ましいが、３ｃＮ以上であれば、防漏カフ６に十分な柔らかさを付与できる。不織布６０のバルクソフトネスは、以下の方法で測定される。
【００５１】
〔バルクソフトネスの測定法〕
２２℃６５％ＲＨ環境下にて、防漏カフ６を構成している不織布、又は防漏カフ６に使用した不織布からから、その構成繊維の配向方向に沿うＣＤ方向に１５０ｍｍ、ＣＤ方向に直交するＭＤ方向に３０ｍｍ切り出し、これを測定片とする。この測定片を、直径４５ｍｍのリング状になるように、ホッチキスを用いて端部を上下２箇所で止める。このときステープラーの芯はＣＤ方向に長くなるようにする。次いで、圧縮試験機（例えば、島津製作所製オートグラフ圧縮試験機「ＡＧ−Ｘ」）を用いて、試料台の上に前記リング状の測定片を筒状に立て、上方から台とほぼ平行な直径３０ｍｍ以上の円形圧縮プレートで圧縮速度１０ｍｍ／分の速度で圧縮したときに示す最大荷重を測定する。この測定を、防漏カフから切り出した任意の３箇所について行い、これらの平均値をバルクソフトネスとする。
【００５２】
防漏カフ６は、肌触りが良好となる観点から、不織布６０の摩擦係数の平均偏差（ＭＭＤ）が０．０１２以下であることが好ましく、０．０１以下であることが更に好ましい。不織布における摩擦係数の平均偏差ＭＭＤの下限値は０に近ければ近いほど好ましいが、０．００３以上であれば、防漏カフ６に十分な柔らかさを付与できる。
【００５３】
防漏カフ６を構成する不織布６０は、肌触りが良好となる観点から、その表面粗さの平均偏差ＳＭＤが、２．２μｍ以下であることが好ましく、２．０μｍ以下であることが更に好ましい。不織布６０の表面粗さの平均偏差ＳＭＤの下限値は０に近ければ近いほど好ましいが、０．５μｍ以上であれば、防漏カフ６に十分な柔らかさを付与できる。
【００５４】
摩擦係数の平均偏差ＭＭＤ及び表面粗さの平均偏差ＳＭＤは、以下の書籍に記載の方法に従い、カトーテック株式会社製のＫＥＳＦＢ４−ＡＵＴＯ−Ａ（商品名）を用いて以下の方法で測定される。
川端季雄著、「風合い評価の標準化と解析」、第２版、社団法人日本繊維機会学会  風合い計量と規格化研究委員会、昭和５５年７月１０日発行
【００５５】
〔摩擦係数の平均偏差ＭＭＤの測定法〕
防漏カフを構成している不織布、又は防漏カフに使用した不織布からから２０ｃｍ×２０ｃｍの試験片を取り出す。このサイズの試験片が取り出せないときには、適宜試験片のサイズを変更してもよい。試験片を、平滑な金属平面の試験台に取りつける。接触子を４９ｃＮの力で接触面を試験片に圧着し、試験片を０．１ｃｍ／ｓｅｃの一定速度で水平に２ｃｍ移動させる。試験片には７．３ｃＮ／ｃｍの一軸張力が与えられる。接触子は、表面粗さの測定に用いた接触子と同じ０．５ｍｍ径のピアノ線を２０本並べ幅１０ｍｍでＵ字状に曲げたものである。接触子は、重錘によって４９ｃＮの力で接触面を試験片に圧着させている。摩擦係数の平均偏差の測定値はＭＭＤ値で表される。この測定をＭＤ及びＣＤともに行いＭＭＤＭＤ及びＭＭＤＣＤを求め、下記式〔Ｂ〕から平均値を出し、これを摩擦係数の平均偏差ＭＭＤとする。ＭＤ、ＣＤどちらか片方しかサンプルの試験片が取り出せない場合は、片方のみの値を摩擦係数の平均偏差ＭＭＤとする。
摩擦係数の平均偏差ＭＭＤ
＝｛(ＭＭＤＭＤ２＋ＭＭＤＣＤ２)／２｝１／２・・・〔Ｂ〕
【００５６】
〔表面粗さの平均偏差ＳＭＤの測定法〕
防漏カフを形成する不織布から２０ｃｍ×２０ｃｍの試験片を取り出す。このサイズの試験片が取り出せないときには、適宜試験片のサイズを変更してもよい。試験片を、平滑な金属平面の試験台に取りつける。接触子を９．８ｃＮ（誤差±０．４９ｃＮ以内）で試験片に圧着する。試験片を０．１ｃｍ／ｓｅｃの一定速度で水平に２ｃｍ移動させる。試験片には７．３ｃＮ／ｃｍの一軸張力が与えられる。接触子は、０．５ｍｍ径のピアノ線を幅５ｍｍでＵ字状に曲げたものである。接触子は、９．８ｃＮの力で接触面を試験片に圧着させる。接触子は、ばねで圧着される。ばねの定数は２４．５ｃＮ／ｍｍ（誤差±０．９８ｃＮ／ｍｍ以内）とし、共振周波数は表面接触から離れた状態で３０Ｈｚ以上とする。表面粗さの平均偏差の測定値はＳＭＤ値で表される。この測定をＭＤ及びＣＤともに行いＳＭＤＭＤ及びＳＭＤＣＤを求め、下記式〔Ｃ〕から平均値を出し、これを表面粗さの平均偏差ＳＭＤとする。ＭＤ、ＣＤどちらか片方しかサンプルの試験片が取り出せない場合は、片方のみの値を表面粗さＳＭＤとする。
表面粗さの平均偏差ＳＭＤ
＝｛(ＳＭＤＭＤ２＋ＳＭＤＣＤ２)／２｝１／２・・・〔Ｃ〕
【００５７】
防漏カフ６は、肌触りが良好となるとともに、肌と防漏カフ６との当接に起因するカフの跡が肌に付き難くなる観点から、防漏カフ６の１ｋＰａ圧縮時の変形量は、好ましくは１ｍｍ以上、さらに好ましくは１．１ｍｍ以上である。１ｋＰａ圧縮時の変形量は下記方法によって測定される。
【００５８】
〔１ｋＰａ圧縮時の変形量の測定法〕
防漏カフを使い捨ておむつから取り出し、防漏カフを伸長させた状態で自由端部６１から５ｍｍ幅で長手方向長さ１２０ｍｍの試験片を自由端伸縮部６４を含むように切り出し、該試験片を７０ｍｍに伸長させた状態で測定装置の試験台に取り付ける。この時、防漏カフ弾性部材が試験台の中央に位置するように配置する。測定装置としては、ＫＥＳ圧縮試験機（カトーテック株式会社製、ＫＥＳＦＢ３−ＡＵＴＯ−Ａ）を用いて試験片（自由端伸縮部）を下記条件で圧縮し、その際の応力−ひずみから１ｋＰａ圧縮時の変形量を求める。
圧縮速度：０．０２ｍｍ／ｓ
圧縮子：２ｃｍ２円形板
【００５９】
次に、本発明を別の実施形態に基づき図面を参照しながら説明する。図５ないし図７には、別の実施形態のパンツ型使い捨ておむつが示されている。別の実施形態に係るおむつについては、上述した実施形態に係るおむつと異なる点について説明する。特に説明しない点については、上述した実施形態に係るおむつと同様であり、該おむつの説明が適宜適用される。別の実施形態のおむつによっても上述した実施形態に係るおむつと同様の効果が奏される。
【００６０】
図５に示すおむつ１Ａは、図２に示すおむつ１に比べ、背側部Ｒにおいて吸収性本体２がウエスト開口部ＷＨ側に延在している。また背側固定部６Ｒの長手方向Ｘの長さＬｒ１が、図２に示すおむつ１の背側固定部６Ｒの長さＬｒ１よりも長くなっている。そして、図５に示すおむつ１Ａにおいては、腹側固定部６Ｆの長さＬｆ１が背側固定部６Ｒの長さＬｒ１よりも短くなっている。おむつ１Ａの背側部Ｒにおいては、背側固定部６Ｒに位置する背側伸縮領域７Ｒが、長手方向Ｘの中央で２つに区分され、レッグ開口部ＬＨ側の第３伸縮領域Ｒ３と、ウエスト開口部ＷＨ側の第４伸縮領域Ｒ４を有している。第４伸縮領域Ｒ４の伸縮応力は、腹側伸縮領域７Ｆの伸縮応力と略同じである。第３伸縮領域Ｒ３の伸縮応力は、腹側伸縮領域７Ｆの伸縮応力よりも高くなっている。背側伸縮領域７Ｒの伸縮応力は、第４伸縮領域Ｒ４の伸縮応力と第３伸縮領域Ｒ３の伸縮応力との平均で求められ、おむつ１Ａの背側伸縮領域７Ｒは、腹側伸縮領域７Ｆよりも伸縮応力が高くなっている。なお、背側伸縮領域７Ｒからウエスト端部側の伸縮領域７１Ｒは、第４伸縮領域Ｒ４よりも伸縮応力が低い背側低伸縮応力領域となっている。
【００６１】
図６に示すおむつ１Ｂは、図２に示すおむつ１に比べ、背側部Ｒにおいて吸収性本体２がウエスト開口部ＷＨ側に延在している。おむつ１Ｂは、背側部Ｒにおいて、背側固定部６Ｒに位置する背側伸縮領域７Ｒと、背側伸縮領域７Ｒからウエスト端部側にウエスト端部側の伸縮領域７１Ｒと、背側伸縮領域７Ｒからレッグ開口部ＬＨ側に伸縮領域７２Ｒとを有している。おむつ１Ｂの背側伸縮領域７Ｒは、腹側伸縮領域７Ｆの伸縮応力よりも伸縮応力が高くなっている。おむつ１Ｂの伸縮領域７２Ｒは、おむつ１Ｂの背側伸縮領域７Ｒよりも伸縮応力が低くなっている。おむつ１Ｂの伸縮領域７１Ｒは、おむつ１Ｂの伸縮領域７２Ｒ及び背側伸縮領域７Ｒよりも伸縮応力が低い背側低伸縮応力領域となっている。
【００６２】
図７に示すおむつ１Ｃは、図２に示すおむつ１に比べ、背側部Ｒにおいて吸収性本体２がウエスト開口部ＷＨ側に延在している。そしておむつ１Ｃの防漏カフ６は、図２に示すおむつ１と折り形状が異なっている。おむつ１Ｃの防漏カフ６は、図８に示すように、防漏カフ６を屈曲した折り曲げ部６６が吸収体４の長手方向Ｘに沿う側縁から幅方向Ｙ内方に間隔を置いて配されており、自由端部６１が折り曲げ部６６から幅方向Ｙ外方に向くように配されている。このように屈曲したおむつ１Ｃの防漏カフ６は、いわゆる外折り型のものとなっている。外折り型の防漏カフ６は、吸収性本体２の表面シート５上に固定された端部固定部を複数有している。具体的には、外折り型の防漏カフ６においては、腹側固定部６Ｆ及び背側固定部６Ｒが、それぞれ、折り曲げ部６６から固定端部６２側の部分が吸収性本体２の表面シート５上に直接固定された第１端部固定部６Ａと、折り曲げ部６６から自由端部６１側の部分が吸収性本体２の表面シート５上に間接的に固定された第２端部固定部６Ｂとを有している。第２端部固定部６Ｂは、表面シート５上において、折り曲げ部６６から自由端部６１側の部分と折り曲げ部６６から固定端部６２側の部分とが固定され形成されており、表面シート５上に固定されている。
【００６３】
図７に示すおむつ１Ｃのように、端部固定部が複数存在する場合には、上述のとおり、最も肌対向面側の固定部に基づいて伸縮領域を特定する。おむつ１Ｃにおいて、背側固定部６Ｒの肌対向面側の第２端部固定部６Ｂに位置する伸縮領域７Ｒは、腹側固定部６Ｆの肌対向面側の第２端部固定部６Ｂに位置する伸縮領域７Ｆよりも伸縮応力が高くなっている。
【００６４】
背側伸縮領域７Ｒの伸縮応力を腹側伸縮領域７Ｆの伸縮応力よりも高くし、且つ腹側部Ｆにおいて防漏カフ６が鼠径部に沿って起立し易くなる観点から、図７に示す展開状態においては、腹側部Ｆにおける第１端部固定部６Ａの長手方向Ｘの長さＬｆ５が第２端部固定部６Ｂの長手方向Ｘの長さＬｆ６よりも長いことが好ましい。端部固定部の長手方向Ｘの長さとは、端部固定部における長手方向Ｘの最長の長さをいう。長さＬｆ６に対する長さＬｆ５は、１．３倍以上であることが好ましく、１．５倍以上であることが更に好ましく、また３．０倍以下であることが好ましく、２．５倍以下であることが更に好ましく、そして１．３倍以上３．０倍以下であることが好ましく、１．５倍以上２．５倍以下であることが更に好ましい。腹側部Ｆの長さＬｆ５は、３０ｍｍ以上であることが好ましく、３５ｍｍ以上であることが更に好ましく、また７０ｍｍ以下であることが好ましく、６５ｍｍ以下であることが更に好ましく、そして３０ｍｍ以上７０ｍｍ以下であることが好ましく、３５ｍｍ以上６５ｍｍ以下であることが更に好ましい。腹側部Ｆの長さＬｆ６は、１０ｍｍ以上であることが好ましく、１５ｍｍ以上であることが更に好ましく、また５０ｍｍ以下であることが好ましく、４５ｍｍ以下であることが更に好ましく、そして１０ｍｍ以上５０ｍｍ以下であることが好ましく、１５ｍｍ以上４５ｍｍ以下であることが更に好ましい。
【００６５】
背側伸縮領域７Ｒの伸縮応力を腹側伸縮領域７Ｆの伸縮応力よりも高くし、且つ背側部Ｒにおいて防漏カフ６が臀部に沿って密着し易くなる観点から、図７に示す展開状態においては、背側部Ｒにおける第２端部固定部６Ｂの長手方向Ｘの長さＬｒ６が第１端部固定部６Ａの長手方向Ｘの長さＬｒ５よりも長いことが好ましい。長さＬｒ５に対する長さＬｒ６は、１．３倍以上であることが好ましく、１．５倍以上であることが更に好ましく、また３．０倍以下であることが好ましく、２．５倍以下であることが更に好ましく、そして１．３倍以上３．０倍以下であることが好ましく、１．５倍以上２．５倍以下であることが更に好ましい。背側部Ｒの長さＬｒ５は、３０ｍｍ以上であることが好ましく、３５ｍｍ以上であることが更に好ましく、また７０ｍｍ以下であることが好ましく、６５ｍｍ以下であることが更に好ましく、そして３０ｍｍ以上７０ｍｍ以下であることが好ましく、３５ｍｍ以上６５ｍｍ以下であることが更に好ましい。背側部Ｒの長さＬｒ６は、４０ｍｍ以上であることが好ましく、４５ｍｍ以上であることが更に好ましく、また１２０ｍｍ以下であることが好ましく、１１０ｍｍ以下であることが更に好ましく、そして３５ｍｍ以上１２０ｍｍ以下であることが好ましく、４０ｍｍ以上１１０ｍｍ以下であることが更に好ましい。
【００６６】
本実施形態のおむつ１の各部を構成する材料としては、当該技術分野において通常用いられているものを特に制限無く用いることができる。例えば、表面シート５としては、各種の不織布や開孔フィルム等を用いることができる。防漏シート７としては、例えば液難透過性のフィルムやスパンボンド・メルトブローン・スパンボンド積層不織布などが挙げられる。各弾性部材としては、糸ゴム等を用いることができる。外装体形成用シート３１，３２としては、各種不織布を用いることができる。
【００６７】
腹側伸縮領域７Ｆと厚み方向で重なる吸収体４の吸収性コア４０は、背側伸縮領域７Ｒと厚み方向で重なる吸収体４の吸収性コア４０よりも剛性が高いことが好ましい。このような構成であると、腹側部Ｆ側において、吸収性本体２における一対の防漏カフ６，６どうしの間に位置する部分の間隔を維持することができ、腹側部Ｆが体にフィットし易くなる。吸収性コア４０の剛性は、例えば、吸収性コア４０の坪量を変更することによって調整できる。
【００６８】
腹側部Ｆが体にフィットし易くなる観点から、腹側伸縮領域７Ｆは伸縮性シートで形成されていることが好ましい。本発明でいう伸縮性シートとは、自然状態の長さを１００とした時にシートを所定の方向に引っ張った際にその長さが１１０以上に伸長することができ、引っ張り力を開放した際にその長さが１１０以下に収縮するシートをいう。
本発明に用いられる伸縮性シートとしては、例えば弾性樹脂を原料とする弾性繊維層の少なくとも一面に、実質的に非弾性の非弾性繊維層が配され、これらの繊維形態を保ったまま熱融着によって接合された積層不織布や、特開２００８−１７９１２８号公報及び特開２００７−２２０６６号公報に記載の伸縮シート等を用いることができる。弾性繊維としては、スチレン系エラストマー、ポリオレフィン系エラストマー、ポリエステル系エラストマー又はポリウレタン系エラストマー等の熱可塑性エラストマー、ゴム等の弾性樹脂を原料とする繊維を用いることができる。また、非弾性繊維としては、上述した熱可塑性樹脂を原料とした繊維を用いることができる。
【００６９】
以上、本発明をその好ましい実施形態に基づき説明したが、本発明は前記実施形態に制限されず適宜変更可能である。また上述した実施形態を組み合わせてもよい。例えば図１に示す実施形態は、腹側部Ｆ、股下部Ｍ及び背側部Ｒに亘る外装体３を有するパンツ型使い捨ておむつ１に係るものであったが、それに代えて、本発明は、外装体が着用者の背側に配される背側シート部材と腹側に配される腹側シート部材とに分割されており、背側シート部材と腹側シート部材とが一対のサイドシール部で接合されて筒状をなしているとともに、吸収性本体が、背側シート部材と腹側シート部材との間に架け渡して固定されている外装体分割タイプのパンツ型使い捨ておむつであってもよい。
【００７０】
上述した実施形態では、不織布６０を二つ折りして防漏カフ６が形成されていたが、それに代えて、防漏カフ弾性部材６３を固定する部分のみにおいて不織布が折り返されており、その他の部分では１枚の不織布で形成された形態の防漏カフであってもよい。
【００７１】
前述した本発明の実施形態に関し、更に以下の付記を開示する。
【００７２】
＜１＞
液透過性の表面シート、吸収体及び液難透過性の防漏シートを含む吸収性本体と、該吸収性本体の非肌当接面側に配された外装体とを有し、着用時に、着用者の腹側に配される腹側部、背側に配される背側部及び該腹側部と該背側部の間に位置する股下部を有し、ウエスト開口部及び一対のレッグ開口部を有し、着用者の前後方向に対応する長手方向と該長手方向に直交する幅方向とを有するパンツ型の使い捨ておむつであって、
前記外装体は、前記腹側部及び前記背側部に、前記幅方向に沿って弾性部材が配された幅方向伸縮領域を有しており、
前記吸収性本体は、前記長手方向の両側に該長手方向に沿って延びる防漏カフを備えており、該防漏カフは、前記幅方向の一方の端部に自由端部と他方の端部に固定端部とを有し、該自由端部に該長手方向に沿って防漏カフ弾性部材が固定された自由端伸縮部と、該長手方向の両端近傍に該表面シートに固定された端部固定部とを有しており、
前記自由端伸縮部と前記固定端部の間との不織布における前記幅方向の圧縮荷重値が５ｃＮ以下、好ましくは４ｃＮ以下であり、好ましくは０ｃＮ以上、より好ましくは１ｃＮ以上であり、
前記幅方向伸縮領域は、前記背側部側の前記端部固定部である背側固定部を含み且つ該背側固定部から前記幅方向外方に延在する領域である背側伸縮領域と、前記腹側部側の前記端部固定部である腹側固定部を含み且つ該腹側固定部から前記幅方向外方に延在する領域である腹側伸縮領域とを有しており、
前記背側伸縮領域の伸縮応力が、前記腹側伸縮領域の伸縮応力よりも高い、使い捨ておむつ。
＜２＞
前記腹側伸縮領域の伸縮応力に対する前記背側伸縮領域の伸縮応力が、１．０４倍以上２．０倍以下好ましくは１．０５倍以上１．８倍以下である、前記＜１＞に記載の使い捨ておむつ。
＜３＞
前記背側伸縮領域の伸縮応力が、０．８ｃＮ／ｍｍ以上７．０ｃＮ／ｍｍ以下、好ましくは１．０ｃＮ／ｍｍ以上６．０ｃＮ／ｍｍ以下である、前記＜１＞又は＜２＞に記載の使い捨ておむつ。
＜４＞
前記腹側伸縮領域の伸縮応力が、０．６ｃＮ／ｍｍ以上５．５ｃＮ／ｍｍ以下、好ましくは０．８ｃＮ／ｍｍ以上４．５ｃＮ／ｍｍ以下である、前記＜１＞〜＜３＞の何れか１に記載の使い捨ておむつ。
＜５＞
前記外装体は、前記腹側伸縮領域よりもウエスト端部側に位置する部分に、該腹側伸縮領域よりも伸縮応力が低い腹側低伸縮応力領域を有しており、前記背側伸縮領域よりもウエスト端部側に位置する部分に、該背側伸縮領域よりも伸縮応力が低い背側低伸縮応力領域を有している、前記＜１＞〜＜４＞の何れか１に記載の使い捨ておむつ。
＜６＞
前記腹側低伸縮応力領域の伸縮応力に対する前記腹側伸縮領域の伸縮応力が、１．０４倍以上２．０倍以下、好ましくは１．０５倍以上１．８倍以下である、前記＜５＞に記載の使い捨ておむつ。
＜７＞
前記背側低伸縮応力領域の伸縮応力に対する前記背側伸縮領域の伸縮応力が、１．１倍以上２．０倍以下、好ましくは１．１５倍以上１．８倍以下である、前記＜５＞又は＜６＞に記載の使い捨ておむつ。
＜８＞
前記腹側固定部は、前記背側固定部に比して、前記長手方向に沿う長さが短い、前記＜１＞〜＜７＞の何れか１に記載の使い捨ておむつ。
＜９＞
前記腹側固定部の前記長手方向の長さに対する前記背側固定部の前記長手方向の長さが、１．１倍以上２．０倍以下、好ましくは１．２倍以上１．８倍以下である、前記＜１＞〜＜８＞の何れか１に記載の使い捨ておむつ。
＜１０＞
前記腹側固定部の前記長手方向の長さが、３０ｍｍ以上６５ｍｍ以下、好ましくは３５ｍｍ以上６０ｍｍ以下である、前記＜１＞〜＜９＞の何れか１に記載の使い捨ておむつ。
＜１１＞
前記背側固定部の前記長手方向の長さが、４０ｍｍ以上７０ｍｍ以下、好ましくは４５ｍｍ以上６５ｍｍ以下である、前記＜１＞〜＜１０＞の何れか１に記載の使い捨ておむつ。
＜１２＞
前記腹側部側のウエスト端部から前記腹側固定部の前記股下部側の端部までの距離が、前記背側部側のウエスト端部から前記背側固定部の前記股下部側の端部までの距離よりも短い、前記＜１＞〜＜１１＞の何れか１に記載の使い捨ておむつ。
＜１３＞
前記腹側部側のウエスト端部から前記腹側固定部の前記股下部側の端部までの距離に対する前記背側部側のウエスト端部から前記背側固定部の前記股下部側の端部までの距離が、１．０５倍以上１．５倍以下、好ましくは１．１倍以上１．４倍以下である、前記＜１＞〜＜１２＞の何れか１に記載の使い捨ておむつ。
＜１４＞
前記腹側部側のウエスト端部から前記腹側固定部の前記股下部側の端部までの距離が、５０ｍｍ以上１０５ｍｍ以下、好ましくは５５ｍｍ以上１００ｍｍ以下である、前記＜１＞〜＜１３＞の何れか１に記載の使い捨ておむつ。
＜１５＞
前記背側部側のウエスト端部から前記背側固定部の前記股下部側の端部までの距離が、６０ｍｍ以上１３０ｍｍ以下、好ましくは６５ｍｍ以上１２０ｍｍ以下である、前記＜１＞〜＜１４＞の何れか１に記載の使い捨ておむつ。
＜１６＞
前記腹側部側のウエスト端部から前記防漏カフの前記自由端伸縮部の前記腹側部側の端部までの距離が、前記背側部側のウエスト端部から前記防漏カフの前記自由端伸縮部の前記背側部側の端部までの距離よりも短い、前記＜１＞〜＜１５＞の何れか１に記載の使い捨ておむつ。
＜１７＞
前記腹側部側のウエスト端部から前記防漏カフの前記自由端伸縮部の前記腹側部側の端部までの距離に対する前記背側部側のウエスト端部から前記防漏カフの前記自由端伸縮部の前記背側部側の端部までの距離が、１．０５倍以上３．０倍以下、好ましくは１．１倍以上２．５倍以下である、前記＜１＞〜＜１６＞の何れか１に記載の使い捨ておむつ。
＜１８＞
前記腹側部側のウエスト端部から前記防漏カフの前記自由端伸縮部の前記腹側部側の端部までの距離が、５０ｍｍ以上１２０ｍｍ以下、好ましくは５５ｍｍ以上１１０ｍｍ以下である、前記＜１＞〜＜１７＞の何れか１に記載の使い捨ておむつ。
＜１９＞
前記背側部側のウエスト端部から前記防漏カフの前記自由端伸縮部の前記背側部側の端部までの距離が、６０ｍｍ以上１４０ｍｍ以下、好ましくは６５ｍｍ以上１３０ｍｍ以下である、前記＜１＞〜＜１８＞の何れか１に記載の使い捨ておむつ。
＜２０＞
前記背側部側のウエスト端部から前記防漏カフの前記自由端伸縮部の前記背側部側の端部までの距離が、前記背側部側のウエスト端部から前記背側固定部の前記股下部側の端部までの距離以下である、前記＜１＞〜＜１９＞の何れか１に記載の使い捨ておむつ。
＜２１＞
前記背側部側のウエスト端部から前記防漏カフの前記自由端伸縮部の前記背側部側の端部までの距離に対する前記背側部側のウエスト端部から前記背側固定部の前記股下部側の端部までの距離が、１．０倍以上１．４倍以下、好ましくは１．０５倍以上１．３倍以下である、前記＜１＞〜＜２０＞の何れか１に記載の使い捨ておむつ。
＜２２＞
前記腹側部側のウエスト端部から前記防漏カフの前記自由端伸縮部の前記腹側部側の端部までの距離が、前記腹側部側のウエスト端部から前記腹側固定部の前記股下部側の端部までの距離以下である、前記＜１＞〜＜２１＞の何れか１に記載の使い捨ておむつ。
＜２３＞
前記腹側部側のウエスト端部から前記防漏カフの前記自由端伸縮部の前記腹側部側の端部までの距離に対する前記腹側部側のウエスト端部から前記腹側固定部の前記股下部側の端部までの距離が、１．０倍以上１．７倍以下、好ましくは１．０５倍以上１．５倍以下である、前記＜１＞〜＜２２＞の何れか１に記載の使い捨ておむつ。
＜２４＞
前記吸収性本体の前記腹側部側の端部から前記防漏カフの前記自由端伸縮部の前記腹側部側の端部までの距離が、該吸収性本体の前記背側部側の端部から前記防漏カフの前記自由端伸縮部の前記背側部側の端部までの距離よりも短い、前記＜１＞〜＜２３＞の何れか１に記載の使い捨ておむつ。
＜２５＞
前記吸収性本体の前記腹側部側の端部から前記防漏カフの前記自由端伸縮部の前記腹側部側の端部までの距離に対する該吸収性本体の前記背側部側の端部から前記防漏カフの前記自由端伸縮部の前記背側部側の端部までの距離が、１．１倍以上２．０倍以下、好ましくは１．２倍以上１．８倍以下である、前記＜１＞〜＜２４＞の何れか１に記載の使い捨ておむつ。
＜２６＞
前記吸収性本体の前記腹側部側の端部から前記防漏カフの前記自由端伸縮部の前記腹側部側の端部までの距離が、２５ｍｍ以上７０ｍｍ以下、好ましくは３０ｍｍ以上６５ｍｍ以下である、前記＜１＞〜＜２５＞の何れか１に記載の使い捨ておむつ。
＜２７＞
前記吸収性本体の前記背側部側の端部から前記防漏カフの前記自由端伸縮部の前記背側部側の端部までの距離が、３０ｍｍ以上８０ｍｍ以下、好ましくは３５ｍｍ以上７０ｍｍ以下である、前記＜１＞〜＜２６＞の何れか１に記載の使い捨ておむつ。
＜２８＞
前記腹側固定部及び前記背側固定部の少なくとも一方は、前記腹側伸縮領域又は前記背側伸縮領域に配された弾性部材と重なっている、前記＜１＞〜＜２７＞の何れか１に記載の使い捨ておむつ。
＜２９＞
前記背側部側のウエスト端部から前記防漏カフの前記自由端伸縮部の前記背側部側の端部までの距離が、該ウエスト端部から前記背側固定部の前記股下部側の端部までの距離以下である、前記＜１＞〜＜２８＞の何れか１に記載の使い捨ておむつ。
＜３０＞
前記股下部における前記防漏カフは、前記吸収体の長手方向の側縁から幅方向内方に離間した位置に、前記吸収体の非肌対向面側に巻き下げられている、前記＜１＞〜＜２９＞の何れか１に記載の使い捨ておむつ。
＜３１＞
前記股下部における前記防漏カフは、前記吸収体の長手方向の側縁から幅方向内方に離間した位置に、前記吸収体の非肌対向面側に巻き下げられた前記表面シートと接合された固定端部を有し、前記防漏カフと前記表面シートは前記吸収体の非肌対向面側で接続されている、前記＜１＞〜＜３０＞の何れか１に記載の使い捨ておむつ。
＜３２＞
前記防漏カフと前記表面材は前記吸収体の非肌対向面側で接続されている、前記＜１＞〜＜３１＞の何れか１に記載の使い捨ておむつ。
＜３３＞
前記吸収体における前記腹側伸縮領域と厚み方向で重なる部分は、前記吸収体における前記腹側伸縮領域と厚み方向で重なる部分よりも剛性が高い、前記＜１＞〜＜３２＞の何れか１に記載の使い捨ておむつ。
＜３４＞
前記防漏カフを形成する前記不織布は、バルクソフトネスが１０ｃＮ以下、好ましくは８ｃＮ以下であり、好ましくは３ｃＮ以上である、前記＜１＞〜＜３３＞の何れか１に記載の使い捨ておむつ。
＜３５＞
前記防漏カフを形成する前記不織布は、表面粗さの平均偏差（ＳＭＤ）が２．２μｍ以下、好ましくは２．０μｍ以下であり、好ましくは０．５μｍ以上である、前記＜１＞〜＜３４＞の何れか１に記載の使い捨ておむつ。
＜３６＞
前記防漏カフは、１ｋＰａ圧縮時の変形量が１ｍｍ以上、好ましくは１．１ｍｍ以上である、前記＜１＞〜＜３５＞の何れか１に記載の使い捨ておむつ。
＜３７＞
前記腹側伸縮領域は、伸縮性シートで形成されている、前記＜１＞〜＜３６＞の何れか１に記載の使い捨ておむつ。
＜３８＞
前記防漏カフは、該防漏カフを折り返した折り曲げ部が前記吸収体の長手方向に沿う側縁から幅方向内方に間隔を置いて配されており、前記自由端部が該折り曲げ部から幅方向外方に向くように配されており、
前記腹側固定部及び前記背側固定部が、それぞれ、前記防漏カフにおける前記折り曲げ部から固定端部側の部分が前記表面シート上に固定された第１端部固定部と、該固定端部側の部分と該防漏カフにおける該折り曲げ部から前記自由端部側の部分とが該表面シート上に固定された第２端部固定部とを有している、前記＜１＞〜＜３７＞の何れか１に記載の使い捨ておむつ。
＜３９＞
前記腹側固定部においては、前記第１端部固定部の長手方向の長さが前記第２端部固定部の長手方向の長さよりも長い、前記＜３８＞に記載の使い捨ておむつ。
＜４０＞
前記腹側固定部においては、前記第２端部固定部の長手方向の長さに対する前記第１端部固定部の長手方向の長さが、１．３倍以上３．０倍以下、好ましくは１．５倍以上２．５倍以下である、前記＜３８＞又は＜３９＞に記載の使い捨ておむつ。
＜４１＞
前記腹側固定部においては、前記第１端部固定部の長手方向の長さが、３０ｍｍ以上７０ｍｍ以下、好ましくは３５ｍｍ以上６５ｍｍ以下である、前記＜３８＞〜＜４０＞に記載の使い捨ておむつ。
＜４２＞
前記腹側固定部においては、前記第２端部固定部の長手方向の長さが、１０ｍｍ以上５０ｍｍ以下であることが好ましく、１５ｍｍ以上４５ｍｍ以下であることが更に好ましい、前記＜３８＞〜＜４１＞に記載の使い捨ておむつ。
＜４３＞
前記背側固定部においては、前記第２端部固定部の長手方向の長さが前記第１端部固定部の長手方向の長さよりも長い、前記＜３８＞〜＜４２＞の何れか１に記載の使い捨ておむつ。
＜４４＞
前記第１端部固定部の長手方向の長さに対する前記第２端部固定部の長手方向の長さが、１．３倍以上３．０倍以下、好ましくは１．５倍以上２．５倍以下である、＜３８＞〜＜４３＞の何れか１に記載の使い捨ておむつ。
＜４５＞
前記第１端部固定部の長手方向の長さが、３０ｍｍ以上７０ｍｍ以下、好ましくは３５ｍｍ以上６５ｍｍ以下である、＜３８＞〜＜４４＞に記載の使い捨ておむつ。
＜４６＞
前記第１端部固定部の長手方向の長さが、３５ｍｍ以上１２０ｍｍ以下、好ましくは４０ｍｍ以上１１０ｍｍ以下である、＜３８＞〜＜４５＞に記載の使い捨ておむつ。
【符号の説明】
【００７３】
１  パンツ型の使い捨ておむつ
Ｆ  腹側部
Ｍ  股下部
Ｒ  背側部
２  吸収性本体
３  外装体
３３  弾性部材
４  吸収体
５  表面シート
４４  スリット
６  防漏カフ
６０  防漏カフを構成する不織布
６１  自由端部
６２  固定端部
６３，６７  弾性部材
６４  自由端伸縮部
６６  折り曲げ部
６Ｆ  腹側固定部
６Ｒ  背側固定部
６Ａ  第１端部固定部
６Ｂ  第２端部固定部
７Ｆ  腹側伸縮領域
７Ｒ  背側伸縮領域
Ｘ  長手方向
Ｙ  幅方向
【図１】
2020195541.tif 000003
【図２】
2020195541.tif 000004
【図３】
2020195541.tif 000005
【図４】
2020195541.tif 000006
【図５】
2020195541.tif 000007
【図６】
2020195541.tif 000008
【図７】
2020195541.tif 000009
【図８】
2020195541.tif 000010